(57)【特許請求の範囲】
【請求項１】
開閉装置の、水平および垂直なフレーム成形体（１０）から組み立てられたキャビネットフレームに開閉装置の側壁（５０）を固定するための保持体（２０）を有する連結エレメントであって、側壁（５０）が、キャビネットフレームのフレーム成形体（１０）に設けられた接触面に接触しており、側壁（５０）が、キャビネットフレームの開いた側を閉鎖していて、前記保持体（２０）に結合されており、該保持体（２０）が、固定プレート（２１）によってキャビネットフレームのフレーム成形体（１０）の外壁（１１）に固定されていて、側壁（５０）に対して平行に延びる脚部（２５）を有しており、該脚部（２５）が、垂直方向で相互間隔を置いて配置された２つの差込み受容部（２６）を有しており、保持体（２０）に設けられた該差込み受容部（２６）内に、コンタクトばね（３０）に設けられた対応する差込み付加部（３１）が差込み可能であり、該差込み付加部（３１）が、側壁（５０）に対して９０度に等しい角度又は９０度より小さな角度を成して傾斜させられたばねプレート（３２）に移行しており、該ばねプレート（３２）が、コンタクト尖端（３３）で側壁（５０）に接触していて、側壁（５０）を保持体（２０）とキャビネットフレームのフレーム成形体（１０）とに電気的に接続している形式のものにおいて、保持体（２０）に設けられた前記脚部（２５）が、側壁（５０）のためのフレーム成形体（１０）に設けられた接触面と面一に整合していて、側壁（５０）をねじ固定するための少なくとも１つのねじ山受容部（２７）を装備しており、コンタクトばね（３０）が、平行に相互間隔を置いて配置された、差込み付加部（３１）として形成された２つの脚片を有するＵ字形部材として構成されており、前記差込み付加部（３１）が、コンタクト尖端（３３）を備えたばねプレート（３２）を介して互いに連結されていることを特徴とする、連結エレメント。
【請求項２】
前記ばねプレート（３２）が、差込み付加部（３１）に対して折曲げられている、請求項１記載の連結エレメント。
【請求項３】
保持体（２０）内へのコンタクトばね（３０）の差込み運動が、ストッパ（２９）によって制限されており、コンタクトばね（３０）の差込み付加部（３１）が、差込み受容部（２６）内に締付け保持されている、請求項１又は２記載の連結エレメント。
【請求項４】
固定プレート（２１）が、フレーム成形体（１０）の長手方向で相互間隔を置いて配置されているねじ受容部（２２）及びねじ山受容部（２３）を備えており、脚部（２５）が同様に、側壁（５０）の固定のために２つのねじ山受容部（２７）を備えていて、該ねじ山受容部が、フレーム成形体（１０）の長手方向で固定プレート（２１）のねじ受容部（２２）及びねじ山受容部（２３）と同じ値だけ互いに間隔を置いて配置されている、請求項１から３までのいずれか１項記載の連結エレメント。
【請求項５】
コンタクトばね（３０）が、ばね鋼から製作されている、請求項１から４までのいずれか１項記載の連結エレメント。
【発明の詳細な説明】
【０００１】
本発明は、開閉装置・キャビネットフレームのフレーム成形体に開閉装置の側壁を固定するための保持体を有する連結エレメントであって、フレーム脚部と側壁とを電気的に接続するために保持体にコンタクトばねが固定されていて、該コンタクトばねが、側壁の方向に向いたコンタクト尖端を備えていて、該コンタクト尖端が、それぞれの側壁が接触するフレーム成形体の接触面から突出している形式のものに関する。
【０００２】
例えばドイツ国特許第１９５２５８５１号明細書から公知の上記形式の連結エレメントは、フレーム成形体の外側に位置する折曲げ領域で締付け保持されている。連結エレメントは、コンタクト尖端を備えたコンタクトばねを有していて、コンタクト尖端は側壁の方向を向いている。この場合コンタクト尖端は、該コンタクト尖端がフレーム成形体のシールウェブを介して保持されるように、コンタクトばねに沿って折曲げられている。側壁を固定するために、連結エレメントはねじ山受容部を有していて、該ねじ山受容部において側壁がねじ固定される。このために使用される固定ねじを締め付けた場合、側壁はシールウェブに緊締される。この場合コンタクト尖端は、側壁のラック被覆内に食い込みかつ電気的な接触接続を生ぜしめる。側壁がねじ固定された場合には、コンタクト尖端は側壁とシールウェブとの間に締付け保持される。
【０００３】
本発明の課題は、簡単に製作できかつ確実な接触接続を保証できる冒頭に述べた形式の連結エレメントを提供することにある。
【０００４】
前記課題は本発明によれば、保持体が、フレーム成形体の外壁にねじ固定されている固定プレートを有しており、該固定プレートが、側壁に対して垂直に位置する固定区分に移行していて、該固定区分に続いて、側壁の固定のために少なくとも１つのねじ山受容部を装備した、側壁に対して平行に延びる脚部が設けられており、該脚部が、フレーム成形体の長手方向で相互間隔を置いて配置された２つの差込み受容部を有していて、該差込み受容部内に、コンタクトばねの差込み付加部が受容されており、前記差込み付加部にばねプレートが接続されていて、該ばねプレートが、側壁に対して９０度に等しい角度又は９０度より小さな角度を成して傾斜していてかつ側壁用の接触面の側部にコンタクト尖端を有していることによって、解決された。
【０００５】
本発明による前記連結エレメントは、差込み付加部及びこれに対応する差込み受容部を介して簡単に互いに連結できる２つの構成部材からのみ構成されている。
【０００６】
コンタクト尖端が側壁用の接触面から突出することによって、確実な接触接続が保証されている。組立てた場合にコンタクト尖端は、側壁のラック被覆内に食い込みかつこのようにして接触接続が得られる。同時に、コンタクトばねのコンタクト尖端はばねプレロード下で又は弾性付勢力下で側壁に圧着される。この圧着圧によって確実な接触接続が維持される。
【０００７】
本発明の変化構成では、コンタクトばねは、平行に相互間隔を置いて配置された２つの脚片を有するＵ字形部材として構成されており、前記脚片は、差込み付加部を形成しかつばねプレートを介して互いに連結されていて、該ばねプレートは差込み付加部に対して折曲げられている。脚片の間隔を置いた配置によって、傾倒に対して安定的にコンタクトばねを支持する支持長さが得られる。
【０００８】
簡単な取付けのために、保持体内へのコンタクトばねの差込み運動がストッパによって制限されていて、これにより、コンタクトばねは常時所定の位置で取り付け可能である。更にこの場合、コンタクトばねの差込み付加部は差込み受容部内に締付け保持されている。従って保持体及びコンタクトばねは予め取り付けることができるので、フレーム成形体に側壁を取り付ける場合に１つだけの構成部材を固定すればよい。更に差込み付加部の遊びのない締付け固定によって、連結エレメントの取付けに際して特別な措置を講ずることなしに、常時確実な接触接続を行うことができる。
【０００９】
別の本発明の構成では、固定プレートが、フレーム成形体の長手方向で相互間隔を置いて配置されているねじ受容部及びねじ山受容部を備えており、脚部が、同様に側壁の固定のために２つのねじ山受容部を備えていて、該ねじ山受容部が、フレーム成形体の長手方向で固定プレートのねじ受容部及びねじ山受容部と同じ値だけ互いに間隔を置いて配置されている。このように装備された連結エレメントは、固定プレートのねじ受容部を介してフレーム成形体の外面側から取り付けることができる。しかしまた、開閉装置の固定プレートをねじ締結することもできる。このために、固定ねじがフレーム成形体を介して差し込まれかつ固定プレートのねじ山受容部内にねじ込まれる。選択された固定形式に関連して、選択的に脚部の両ねじ山受容部の一方を側壁の固定のために使用できる。
【００１０】
コンタクトばねのための十分なばね剛さを保証するために、コンタクトばねは有利にはばね鋼から製作される。
【００１１】
次に図示の実施例に基づき本発明を説明する。
【００１２】
第１図では、キャビネットフレームの垂直なフレーム成形体１０が図示されている。このようなキャビネットフレームは、開閉装置において支持フレームとして用いられる。
【００１３】
フレーム成形体１０は、外壁１１及び該外壁に続いて２つの折曲げ区分１２を有し、該折曲げ区分１２は直角に成形側部１３に移行している。外壁には連結エレメントをねじ固定することができる。連結エレメントは保持体２０を有していて、該保持体は、垂直に延びる固定プレート２１及び該固定プレート２１に続いて移行区分２４を有していて、該移行区分２４からは矢張り脚部２５が折曲げられている。この場合脚部２５は、キャビネットフレームの対応する外面側に対して平行に位置している。固定プレート２１は、ねじ受容部２２及びねじ山受容部２３を備えている。ねじ受容部は、フレーム成形体１０の長手方向でねじ山受容部２３に対して間隔を置いて配置されている。
【００１４】
フレーム成形体１０に保持体２０を固定するために、固定ねじ４１が使用され、該固定ねじ４１は、ねじ受容部２２を介して案内されて、フレーム成形体１０にねじ締結される。保持体２０の取付けは、キャビネットフレームの内面側からも行うことができる（第２図で詳述）。この場合固定ねじ４１が背面側から外壁１１を介して押し込まれて、固定プレート２１のねじ山受容部２３内にねじ込まれる。三次元的な条件に関連して第１図又は第２図による固定形式が選ばれる。
【００１５】
フレーム成形体１０と側壁５０（例えば第２図参照）とを電気的に接触接続するために、コンタクトばね３０が使用される。コンタクトばね３０は、Ｕ字形に形成されていてかつ平行な相互間隔を置いて配置された差込み付加部３１を有している。両差込み付加部３１は、ばねプレート３２を介して互いに連結されていて、この場合ばねプレート３２は、差込み付加部３１に対して折曲げられている。ばねプレート３２は５つのコンタクト尖端３３を有していて、該コンタクト尖端は、開閉装置のそれぞれの外面に対して斜めに向けられている。差込み付加部３１によってコンタクトばね３０は、差込み受容部２６内に挿入される。差込み受容部２６は保持体３０の脚部２５の側部に設けられている。差込み付加部３１は差込み受容部２６に比して多少の余剰寸法を有しているので、コンタクトばね３０は脚部２５に締付け保持される。コンタクトばね３０は差込み付加部３１によって、両側から差込み受容部２６内に押し込まれる。有利には差込み付加部３１は波形状に湾曲しているので、差込み付加部３１は差込み受容部２６内にばね弾性的に締付け保持される。
【００１６】
第２図では、フレーム成形体１０に取り付けられた保持体２０が図示されており、脚部２５には側壁５０が固定されている。側壁５０は、脚部２５内のねじ山受容部２７に整合して配置されている貫通孔を備えている。貫通孔を介して固定ねじ４０が差し込まれかつねじ山受容部２７内にねじ込まれる。固定ねじ４０を締め付けた場合には、側壁５０はコンタクト尖端３３の方向に移動する。この場合、コンタクト尖端３３は側壁５０の内面５２に衝突する。コンタクト尖端３３は、側壁５０のラック被覆内に食い込みかつこのようにして保持体２０ひいてはフレーム成形体１０に対する電気的な接触接続が得られる。側壁をねじ固定した状態では、コンタクトばねのコンタクト尖端３３はばねプレロード下で内面５２に保持されるので、常時確実な接触接続が保証される。
【００１７】
第２図から明らかなように、脚部２５内には、フレーム成形体１０の長手方向で相互間隔を置いて配置されている２つのねじ山受容部２７が設けられている。この相互間隔は、固定プレート２１のねじ受容部２２とねじ山受容部２３との間隔に相応している。選択された固定形式（開閉装置の内面側又は外面側からのねじ締結）に関連して、側壁５０の固定のために脚部２５の一方又は他方のねじ受容部２７が用いられる。
【００１８】
連結エレメントの前記の変化実施例は、特に大きな短絡電流を確実に排出するために適する。例えばこのような短絡電流が側壁５０を介して流れると、短絡電流はコンタクト尖端３３を介して保持体２０内にひいては接地されたフレーム成形体１０内に流れる。極めて高い電流の場合、コンタクト尖端３３が焼損するようになる。しかしながら、コンタクト尖端は、ばねプレロード下で側壁の内面５２に圧着されているので、この作動状態でも確実な接触接続が維持される。
【図面の簡単な説明】
【図１】連結エレメントを固定されたフレーム成形体の分解斜視図。
【図２】連結エレメント及び側壁を取り付けられた、第１図の相応する図。
【図１】
0003563348.tif 000002
【図２】
0003563348.tif 000003